(57)【要約】本発明はＴＤＭＡ送受信ユニットに関する。ベースバンドブロック（２）およびＨＦ無線部分（１）がインタフェース（４）により接続されている。ベースバンドブロック（２）は標準に無関係である。ＨＦ無線部分（１）はＴＤＭＡパラメータに関して構成可能なシーケンス制御部（３）を有する。
2004505537.tif 000002
【特許請求の範囲】
【請求項１】
ベースバンドブロック（２）および無線モジュール（１）を有し、ベースバンドブロック（２）および無線モジュール（１）がインタフェース（４）により接続されているＴＤＭＡ送受信ユニットにおいて、
ベースバンドブロック（２）が標準に無関係であり、無線モジュール（１）がＴＤＭＡパラメータに関して構成可能なシーケンス制御部（３）とＨＦ無線部分（６、７）とを有し、ＨＦ無線部分（６、７）が送信器（６）および受信器（７）を有することを特徴とするＴＤＭＡ送受信ユニット。
【請求項２】
シーケンス制御部（３）がベースバンドブロック（２）に無関係であることを特徴とする請求項１記載のＴＤＭＡ送受信ユニット。
【請求項３】
シーケンス制御部（３）が外部からプログラミング可能であることを特徴とする請求項１または２記載のＴＤＭＡ送受信ユニット。
【請求項４】
インタフェース（４）がディジタルのインタフェースであることを特徴とする請求項１ないし３のいずれか１つに記載のＴＤＭＡ送受信ユニット。
【請求項５】
ＨＦ無線部分（６、７）およびシーケンス制御部（３）が無線モジュール（１）に一括され得ることを特徴とする請求項１ないし４のいずれか１つに記載のＴＤＭＡ送受信ユニット。
【請求項６】
ＨＦ無線部分（６、７）およびシーケンス制御部（３）が１つのチップに集積され得ることを特徴とする請求項１ないし５のいずれか１つに記載のＴＤＭＡ送受信ユニット。
【請求項７】
請求項１ないし６のいずれか１つに記載のＴＤＭＡ送受信ユニットを有する自動車無線装置。
【発明の詳細な説明】
【０００１】
本発明はＴＤＭＡ送受信ユニットに関する。本発明は一般に、種々のＴＤＭＡ無線システム（たとえばＧＳＭ、ＤＥＣＴ、Ｂｌｕｅｔｏｏｔｈ）の端末装置における汎用的な無線モジュールの使用に関する。
【０００２】
従来の技術（図３参照）においてはこれまで、ベースバンドブロック１５のプロセッサに専用のハード配線された論理回路として集積されている特殊なバーストモードコントローラ１４が使用される（標準仕様コントロール回路）。ＨＦ無線部分１６の側に、特殊な標準（ＧＳＭ、ＤＥＣＴ、Ｂｌｕｅｔｏｏｔｈ）による無線伝送方法に対して責任を負っているアプリケーション固有のＩＣ（ＲＦ‐ＡＳＩＣ）が存在している。ベースバンドプロセッサ１５およびＨＦ無線部分１６は混合モードインタフェース８を介して、すなわちアナログおよびディジタルの制御線を介して、互いに接続されている。
【０００３】
バーストモードコントローラ１４はＴＤＭＡ方式のすべての時間的な進行に対して責任を負っている。それは相応のＴＤＭＡ標準の特殊なタイムスロットアウトプットまたはタイムスロット順序を実現しなければならない。どのようにこれが公知の方式ＤＥＣＴおよびＧＳＭで様子を示すかは図４および５に示されている。
【０００４】
ＧＳＭシステム（図５）ではそれぞれ２００ｋＨｚの相互間隔を有する搬送周波数が使用され、これらの搬送周波数は再び各８つのタイムスロット（スロット１２）に分割されている。ヨーロッパのＤＥＣＴ標準では１０までの周波数チャネルが使用され、これらの周波数チャネルは再びアップリンクおよびダウンリンクに対する各１２のタイムスロットに分割されている。各々のスロット１２は利用負荷１１に対するデータ処理領域および同期化目的および信号目的１０に対する領域に分割されている。後者は直接にスロット１２の始端（プリアンブル１０）にまたは中央（ミッドアンブル１３）に位置し得る。ＤＥＣＴシステム（図４参照）ではたとえばプリアンブル１０が使用され、それに対してＧＳＭシステム（図５）はミッドアンブル１３を利用する。
【０００５】
隣接するタイムスロットの間の擾乱が生じないように、相応に長い保護帯９（ガードバンド）がスロット１２の間の多数のタイミングパラメータの１つとして設けられなければならない。考察されるＴＤＭＡ無線システムの各タイムスロットマスクは、従来の技術ではバーストモードコントローラにより定められる相異なるタイミングパラメータを必要とする。
【０００６】
今日の、また計画中のＴＤＭＡ無線システム（ＧＳＭ、ＤＥＣＴ、Ｂｌｕｅｔｏｏｔｈなど）を考慮して、ＴＤＭＡ伝送システムにおける構成部分の汎用的な使用を可能にすることは有意義な課題と思われる。本発明では、種々のシステムの端末装置に汎用的な、標準に無関係な無線モジュールを使用する試みがなされる。
【０００７】
この課題は、本発明によれば、バーストモードコントローラの部分がＴＤＭＡパラメータに関して構成可能なシーケンス制御部の形態でＨＦ無線部分に移されることにより解決される。この同じく回路レベルに位置するが外部からプログラミング可能な論理回路がＨＦ部分中にまとめられ、ベースバンドブロックに無関係である。
【０００８】
ベースバンドブロックとＨＦ部分との間のインタフェースはこうして純粋にディジタルのインタフェースになる。
【０００９】
ＨＦ無線部分およびシーケンス制御部は無線モジュールに一括され、チップのなかに集積させることができる。
【００１０】
さらに、自動車無線装置がこのようなＴＤＭＡ送受信ユニット装備することができる。
【００１１】
本発明の他の利点、特徴および特性を、添付図面に関連して実施例により一層詳細に説明する。
【００１２】
今日、多数のさまざまなＴＤＭＡ無線システム（ＧＳＭ、ＤＥＣＴ、Ｂｌｕｅｔｏｏｔｈ）が存在し、さらに計画中である。この事実から、種々のシステムの端末装置に、図１に示されているように、汎用的なシーケンス制御部３およびＨＦ部分６、７から成る汎用的な無線モジュールを使用することは有利である。
【００１３】
図１から明らかなように、ＴＤＭＡ送受信部はＨＦ無線モジュール１およびベースバンドブロック２から成っている。ベースバンドブロック２とＨＦ無線モジュール１との間の接続は純粋にディジタルのインタフェース４を介して行われる。ＨＦ無線モジュール１は送信器６および受信器７、ここに詳細には考察されないいわゆるＨＦ部分、とプログラミング可能なシーケンス制御部３とから成っている。シーケンス制御部３により外部から相応のタイムスロット構造に対する各ＴＤＭＡ無線システムに対して固有の設定を構成することができる。
【００１４】
バーストモードコントローラ１４は考察されるＴＤＭＡ無線システムの各タイムスロットマスク１０、１１、１３の構造に配慮し、ハードウェアコード化されたＴＤＭＡシステム固有の構成要素として端末装置のなかに汎用的な無線モジュールを実現するための道への障害である。
【００１５】
このバーストモードコントローラ１４の一部分がシーケンス制御部３の形態でベースバンドコントローラ１４に無関係なＨＦ無線部分６、７に移されている。構成可能なシーケンス制御部３はこうして汎用的である。それが外部から所望の標準に相応してプログラミングまたは構成され得ることにより、考察されるＴＤＭＡ無線システムのタイムスロットマスク１０、１１、１３により必要な時間進行パラメータを構成することができる。
【００１６】
その際に、シーケンス制御部３をレリーズするために簡単な純粋にディジタルのインタフェース４と、シーケンス制御部３を各ＴＤＭＡ無線システムに相応して構成しまたはプログラミングするために簡単なプログラミングインタフェース５とが必要とされる。
【００１７】
固有の無線部分としての送信器６および受信器７はシーケンス制御部３により有利な仕方で無線モジュール１に一括され得る。その際に目的は、シーケンス制御部３および無線部分６、７を１つのチップに集積することである。
【００１８】
図２はもう一度ＴＤＭＡ送受信部分を示す。汎用的なＨＦ無線モジュール１はプログラミング可能なシーケンス制御部３を含んでおり、全体としてベースバンドプロセッサを含んでいるベースバンドブロック２に無関係である。両ユニットはディジタルのインタフェース４を介して接続されている。
【図面の簡単な説明】
【図１】
本発明のＴＤＭＡ送受信ユニットの概要を示す。
【図２】
本発明のＴＤＭＡ送受信ユニットの概要を示す。
【図３】
従来の技術によるＴＤＭＡ送受信ユニットの概要を示す。
【図４】
ＤＥＣＴ標準のＴＤＭＡタイムスロット構造の概要を示す。
【図５】
ＧＳＭ標準のＴＤＭＡタイムスロット構造の概要を示す。
【符号の説明】
１　ＨＦ無線モジュール
２　ベースバンドブロック
３　プログラミング可能なシーケンス制御部
４　ディジタルのインタフェース
５　プログラミングインタフェース
６　送信器
７　受信器
１０、１１、１３　タイムスロットマスク
１４　バーストモードコントローラ
【図１】
2004505537.tif 000003
【図２】
2004505537.tif 000004
【図３】
2004505537.tif 000005
【図４】
2004505537.tif 000006
【図５】
2004505537.tif 000007
【国際公開パンフレット】
2004505537.tif 000008
2004505537.tif 000009
2004505537.tif 000010
2004505537.tif 000011
2004505537.tif 000012
2004505537.tif 000013
2004505537.tif 000014
2004505537.tif 000015
2004505537.tif 000016
2004505537.tif 000017
2004505537.tif 000018
【国際調査報告】
2004505537.tif 000019
2004505537.tif 000020
2004505537.tif 000021
2004505537.tif 000022